(57)【要約】【課題】磁気メモリ装置及びその製造方法を提供する。【解決手段】メモリ装置は、複数の磁気貯蔵セルをさらに含む。磁気貯蔵セルのそれぞれは、磁気貯蔵要素と磁気貯蔵要素上の磁束集束膜及びビットラインと磁束集束膜との間で延在する電気的な絶縁膜を含む。電気的な絶縁膜は、磁束集束膜の上部面とビットラインの下部面で接触できる。磁気貯蔵セルは、磁束集束膜と磁気貯蔵要素との間に伸ばして非強磁性体からなる電気的な導電膜をさらに含む。【選択図】図５
2006279047.tif 000002
【特許請求の範囲】
【請求項１】
基板と、
前記基板上のビットラインと、
磁気貯蔵要素と前記磁気貯蔵要素上の磁束集束膜及び前記ビットラインと前記磁束集束膜との間で延在する電気的な絶縁膜を含む磁気貯蔵セルと、
を含むことを特徴とする集積回路メモリ装置。
【請求項２】
前記電気的な絶縁膜は、前記磁束集束膜の上部面と前記ビットラインの下部面とで接触されること
を特徴とする請求項１に記載の集積回路メモリ装置。
【請求項３】
前記磁気貯蔵セルは、前記磁束集束膜と前記磁気貯蔵要素との間で伸ばし、非強磁性体で形成される電気的な導電膜をさらに含むこと
を特徴とする請求項２に記載の集積回路メモリ装置。
【請求項４】
前記電気的な絶縁膜は、セルの記録動作のうち前記磁気貯蔵要素から前記非強磁性体で形成される電気的な導電膜で第１の方向に流れる電流が前記第１の方向に垂直な第２の方向に前記非強磁性体で形成される電気的な導電膜で側面に広がるように配置されること
を特徴とする請求項３に記載の集積回路メモリ装置。
【請求項５】
前記磁束集束膜は、強磁性の材質で形成されること
を特徴とする請求項４に記載の集積回路メモリ装置。
【請求項６】
前記強磁性の材質は、ＮｉＦｅであること
を特徴とする請求項５に記載の集積回路メモリ装置。
【請求項７】
前記非強磁性体で形成される電気的な導電膜は、チタン膜とチタンナイトライド膜及びタンタルナイトライド膜のうち少なくともいずれか一つを含むこと
を特徴とする請求項５に記載の集積回路メモリ装置。
【請求項８】
前記非強磁性体で形成される電気的な導電膜は、前記磁束集束膜より低い抵抗を有すること
を特徴とする請求項５に記載の集積回路メモリ装置。
【請求項９】
基板と、
前記基板上のビットラインと、
磁気貯蔵要素と前記磁気貯蔵要素上の磁束集束膜及び前記ビットラインと前記磁束集束膜との間で延在する電気的な絶縁膜を含む磁気貯蔵セルと、
を含み、
前記電気的な絶縁膜はセルの記録動作のうち前記磁気貯蔵要素から前記非強磁性体で形成される電気的な導電膜で第１の方向に流れる電流が前記第１の方向に垂直な第２の方向に前記非強磁性体で形成される電気的な導電膜で側面に広がるように配置されること
を特徴とする集積回路メモリ装置。
【請求項１０】
前記磁束集束膜は、強磁性の材質で形成されること
を特徴とする請求項９に記載の集積回路メモリ装置。
【請求項１１】
半導体基板上に配列された複数の磁気貯蔵要素と、
前記磁気貯蔵要素の上部に配置されて前記磁気貯蔵要素を一方向に連結する複数のビットラインと、
前記磁気貯蔵要素の下で前記ビットラインを横切る方向に配置される複数のワードラインと、
前記ビットラインと磁気貯蔵要素との間に形成される撹乱防止膜と、
を含むことを特徴とする磁気メモリ装置。
【請求項１２】
前記撹乱防止膜は、強磁性体で形成される磁束集束膜を含むこと
を特徴とする請求項１１に記載の磁気メモリ装置。
【請求項１３】
前記撹乱防止膜は、絶縁体と導電体とで形成される遮断膜と前記遮断膜の下部に形成される導電膜を含み、前記遮断膜の絶縁体は前記磁気貯蔵要素が形成された領域の上部に位置したこと
を特徴とする請求項１１に記載の磁気メモリ装置。
【請求項１４】
前記撹乱防止膜は、前記遮断膜と導電膜との間に強磁性体で形成された磁束集束膜をさらに含むこと
を特徴とする請求項１３に記載の磁気メモリ装置。
【請求項１５】
前記遮断膜の導電体は、前記ビットラインと同一な物質であること
を特徴とする請求項１３に記載の磁気メモリ装置。
【請求項１６】
前記導電膜は、前記ビットラインより低い抵抗の物質からなり、前記磁束集束膜は前記導電膜より低い抵抗の物質からなること
を特徴とする請求項１４に記載の磁気メモリ装置。
【請求項１７】
前記ワードラインは、前記磁気貯蔵要素に貯蔵された情報を変更させる記録動作に使用されること
を特徴とする請求項１１に記載の磁気メモリ装置。
【請求項１８】
前記磁気貯蔵要素は、順次に積層されたピニング膜、固定膜、絶縁膜及び自由膜からなったこと
を特徴とする請求項１１に記載の磁気メモリ装置。
【請求項１９】
前記撹乱防止膜の厚さは、ビットラインの厚さより薄いこと
を特徴とする請求項１１に記載の磁気メモリ装置。
【請求項２０】
前記磁気貯蔵要素の下部には、前記ビットラインが磁気貯蔵要素を連結する方向と垂直な方向に下部電極が形成されたこと
を特徴とする請求項１１に記載の磁気メモリ装置。
【請求項２１】
半導体基板上に配列された複数の磁気貯蔵要素と、
前記磁気貯蔵要素の上部に配置されて前記磁気貯蔵要素を一方向に連結する複数のビットラインと、
前記磁気貯蔵要素の下で前記ビットラインを横切る方向に配置される複数のワードラインと、
前記ワードラインの両側面にそれぞれ形成されるソース領域とドレイン領域と、
前記ドレイン領域に接続する垂直配線とを含み、
前記垂直配線は、前記磁気貯蔵要素の下部に直接接続し、前記ビットラインが前記磁気貯蔵要素を連結する方向と前記磁気貯蔵要素の磁化方向になる角は、垂直ではないこと
を特徴とする磁気メモリ装置。
【請求項２２】
前記ビットラインは、前記磁気貯蔵要素を縦方向に平行に連結し、前記磁気貯蔵要素は、その磁化方向が横方向について所定角度傾斜するように形成されるように配置されたこと
を特徴とする請求項２１に記載の磁気メモリ装置。
【請求項２３】
前記ビットラインは、縦方向について所定角度傾斜した状態で前記磁気貯蔵要素を平行に連結し、前記磁気貯蔵要素は、その磁化方向が横方向について平行に形成されるように配置されたこと
を特徴とする請求項２１に記載の磁気メモリ装置。
【請求項２４】
前記ビットラインが前記磁気貯蔵要素を連結する方向と前記磁気貯蔵要素の磁化方向になる角度は、４５度又は１３５度であること
を特徴とする請求項２１に記載の磁気メモリ装置。
【請求項２５】
前記ワードラインは、前記磁気貯蔵要素に貯蔵された情報を変更させる記録動作に使用されること
を特徴とする請求項２１に記載の磁気メモリ装置。
【請求項２６】
前記ビットラインと前記磁気貯蔵要素との間に遮断膜と磁束集束膜と導電膜から構成された撹乱防止膜をさらに含むこと
を特徴とする請求項２１に記載の磁気メモリ装置。
【請求項２７】
前記遮断膜は、絶縁体と導電体とからなり、前記絶縁体は前記磁気貯蔵要素が形成された領域の上部に設けられること
を特徴とする請求項２６に記載の磁気メモリ装置。
【請求項２８】
半導体基板の所定領域にワードラインを形成し、
前記ワードラインの両側面にそれぞれソース領域とドレイン領域とを形成し、
前記ソース領域とドレイン領域が形成された半導体基板の全面に層間絶縁膜を形成し、
前記層間絶縁膜を貫通して、前記ドレイン領域に接続する垂直配線を形成し、
前記層間絶縁膜上に前記垂直配線に接続する磁気貯蔵要素を形成し、
前記磁気貯蔵要素の上部に前記磁気貯蔵要素を一方向に連結する撹乱防止膜及びビットラインを形成することを含み、
前記撹乱防止膜は、導電膜と磁束集束膜及び遮断膜とで形成されたこと
を特徴とする磁気メモリ装置の製造方法。
【請求項２９】
前記撹乱防止膜及びビットラインを形成することは、
前記磁気貯蔵要素が形成された結果物上に導電膜物質層と磁束集束膜物質層とを形成し、
前記の結果物上に絶縁体層を形成した後所定領域をエッチングし、
前記の結果物上にビットライン用金属層を積層し、そして
前記金属層と導電膜物質層及び磁束集束膜物質層を同一なパターンにエッチングすること
を含むことを特徴とする請求項２８に記載の磁気メモリ装置の製造方法。
【発明の詳細な説明】
【技術分野】
【０００１】
本発明は、集積回路メモリ装置とその製造方法に係り、より詳しくは、不揮発性メモリ装置とその製造方法に関するものである。
【背景技術】
【０００２】
各種データを貯蔵するため使用される半導体メモリ装置は、一般に揮発性と不揮発性メモリ装置に区分される。代表的な揮発性メモリ装置としては、ＤＲＡＭとＳＲＡＭがある。ＤＲＡＭは、コンデンサーに貯蔵された電荷を用いてデータを貯蔵する。ＤＲＡＭにおいて、コンデンサーから電荷の漏洩を防止するためリフレッシュ動作が必要である。しかしながら、電源供給が中断されれば、貯蔵されたデータも消滅する。これに比べて、不揮発性メモリ装置は、電源供給が中断されても貯蔵されたデータを維持する。従って、携帯電話やその他音楽や映像を貯蔵するメモリカードのような多様な応用装置などで、電源を継続的に使用できないようになる状況下で不揮発性メモリ装置が幅広く使用される。不揮発性メモリ装置としては、データの‘０’と‘１’を示すが、トンネリング電荷の貯蔵有無を用いるフラッシュメモリ、誘電体の分極方向を用いる強誘電体メモリ（ＦＲＡＭ）、磁性体の磁化方向を用いる磁気メモリ（ＭＲＡＭ）などがある。フラッシュメモリは、データの消去／記録速度が遅く、強誘電体メモリは、再使用可能な回数が制限されるなどの短所がある。
【０００３】
これに比べて、前述したような短所を有さずに最近注目を浴びているのが磁気メモリである。磁気メモリは、不揮発性メモリとして再使用回数に制限がなく、高集積化が容易であり、高速動作が可能な長所がある。磁気メモリ装置でデータが貯蔵される貯蔵要素は、単純で薄い強磁性フィルムであるか、或いはトンネリング磁気抵抗（Ｔｕｎｎｅｌｉｎｇ  Ｍａｇｎｅｔｏ−Ｒｅｓｉｓｔａｎｃｅ；ＴＭＲ）又は巨大磁気抵抗（Ｇｉａｎｔ  Ｍａｇｎｅｔｏ−Ｒｅｓｉｓｔａｎｃｅ；ＧＭＲ）のようにより複雑に層が形成された磁性の薄膜構造でありうる。
【０００４】
従来のトンネリング磁気抵抗を用いる磁気メモリ装置の概略的な構成は、特許文献１に開示されている。
【０００５】
図１は、前述した従来技術による磁気メモリ装置を示す平面図であり、図２Ａと図２Ｂは、それぞれ図１の２Ａ−２Ａ’線と２Ｂ−２Ｂ’線に沿って切断された断面図である。
【０００６】
図１を参照すれば、半導体基板上に平行な複数の導線が相互垂直に形成されるが、これらはそれぞれビットライン３０とディジットライン２８とを構成する。ビットライン３０とディジットライン２８が交差する領域には、データを貯蔵する磁気貯蔵要素４０が形成される。
【０００７】
図２Ａ及び図２Ｂを参照すれば、半導体基板１０の所定領域には、素子分離膜１２が配置されて活性領域を画定する。各活性領域には、一対のゲート電極２０が形成されるが、これは磁気貯蔵要素４０のデータを判読することに使用されるトランジスタのゲートを構成する。一対のゲート電極２０の間には、共通ソース領域１６ｓが形成され、一対のゲート電極２０と素子分離膜１２との間にはドレイン領域１６ｄが形成される。共通ソース領域１６ｓには、共通ソース電極１８が連結され、ドレイン領域１６ｄには、垂直配線２４が連結される。ディジットライン２８を含む半導体基板１０の全面には、下部層間絶縁膜２２が形成されるが、垂直配線２４は、ドレイン領域１６ｄと下部層間絶縁膜２２の上部に離隔されて形成される下部電極２６を電気的に接続する。下部電極２６は、磁気貯蔵要素４０と連結され、磁気貯蔵要素４０の上部には、ビットライン３０が形成される。この時、下部電極２６や磁気貯蔵要素４０は、下部層間絶縁膜２２上に形成された上部層間絶縁膜３２によって絶縁される。
【０００８】
磁気貯蔵要素４０は、磁気トンネル接合（Ｍａｇｎｅｔｉｃ  Ｔｕｎｎｅｌ  Ｊｕｎｃｔｉｏｎ；ＭＴＪ）構造として、ピニング膜(pinning layer)４１と、固定膜４２と、絶縁膜４３及び自由膜４４と、から構成される。磁気貯蔵要素４０の抵抗は、自由膜４４と固定膜４２の間の磁化方向が同一であるか、そうではないかによって大きく変化する。磁化方向に依存的な磁気貯蔵要素４０の抵抗特性は、磁気メモリ装置の情報貯蔵原理として用いられる。固定膜４２の磁化方向は、通常的な判読／記録動作の間では変化せず、ピニング膜４１は、固定膜４２の磁化方向を固定する役割を遂行する。これに比べて、自由膜４４の磁化方向は変わることができ、固定膜４２の磁化方向と同一方向又は逆方向に磁化できる。
【０００９】
特定な磁気貯蔵要素４０に貯蔵された情報を読み取る場合、ビットライン３０とワードライン２０とを用いる。ワードライン２０は、半導体基板１０上に形成されたゲート電極２０に相当し、ビットライン３０と垂直に形成される。ワードライン２０とビットライン３０とを選択して磁気貯蔵要素４０に電流を流せるとき、データの貯蔵状態によって電流の大きさが変わる。すなわち、固定膜４２と自由膜４４の間の磁化方向が同一である否かによって、抵抗値が変わって電流の大きさの差があるので貯蔵された情報を判読できる。一方、データを記録する過程は、ビットライン３０とディジットライン２８に電流を流せて特定磁気貯蔵要素４０を選択し、電流によって形成された磁気場のベクトル和によって当該磁気貯蔵要素４０を磁化させることになる。
【００１０】
前述したような従来の磁気メモリ装置の問題点を調べる。
【００１１】
電流がビットライン３０やディジット２８を通じて流れれば、ライン２８、３０の周囲には、磁気場が形成され、このような磁気場は原則的に磁化を変化させる必要がある特定磁気貯蔵要素４０にのみ影響を及ぼさなければならない。ところで、高集積化によってメモリセルが互いに近接するようになり、またデータの書き取りに必要な磁気場も増加するようになる。従って、選択された磁気貯蔵要素４０以外の隣接した磁気貯蔵要素４０に関してもビットライン２８やディジットライン３０による磁気場が作用するようになる問題がある。このような問題点を勘案してビットライン２８を使用しない新しい構造の磁気メモリ装置が提案された。すなわち、ワードライン２０がディジットライン２８を代替するようにして、ワードライン２０とビットライン３０に電流を流せ、この時形成された磁気場に磁気貯蔵要素４０の磁化方向を変更する。一方、ワードライン２０とビットライン３０とを用いてデータを判読する方式と同一に磁気貯蔵要素４０に電流を流せ、データを読み取る場合に比べて電流の大きさを増加させて磁気貯蔵要素４０の磁化方向を変更してもよい。このような方式の磁気メモリ装置は、特許文献２に開示されている。
【００１２】
前述したように、ディジットライン２８を使用しない方式は、たとえディジットライン２８による撹乱に特定磁気貯蔵要素４０外に他の磁気貯蔵要素４０が磁気場の影響を受けることは予防できる。しかしながら、ビットライン３０による撹乱に関する問題点は、やはり残るようになる。特に、データの記録のため磁気貯蔵要素４０に電流を通じる方式では、データの記録時非常に大きい電流を流せるため強磁気場が発生し、隣接した領域に影響を及ぼすようになる可能性はさらに増大される。また、ディジットライン２８を使用せずビットライン３０のみにデータを記録する方式では、磁気貯蔵要素４０の磁化方向を変更させるための強磁気場が必須的であるが、電力消耗を減らすことができる改善方案が必要である。
【特許文献１】韓国特許出願公開第２００４−４１３３５号明細書
【特許文献２】米国特許第５、６９５、８６４号明細書
【発明の開示】
【発明が解決しようとする課題】
【００１３】
本発明の技術的課題は、データの記録時強磁気場を発生して磁気貯蔵要素の磁化方向を変更させ、電力消耗を減らすことができる磁気メモリ装置及びその製造方法を提供するところにある。
【課題を解決するための手段】
【００１４】
前述した技術的課題を達成するために本発明の実施形態による集積回路メモリ装置は、半導体基板と半導体基板上のビットラインとを含む。メモリ装置は、複数の磁気貯蔵セルをさらに含む。磁気貯蔵セルのそれぞれは、磁気貯蔵要素と磁気貯蔵要素上の磁束集束膜及びビットラインと磁束集束膜との間で延在する電気的な絶縁膜を含む。電気的な絶縁膜は、磁束集束膜の上部面とビットラインの下部面で接触できる。磁気貯蔵セルは、磁束集束膜と磁気貯蔵要素との間に伸ばして非強磁性体で形成される電気的な導電膜をさらに含む。
【００１５】
このような実施形態の好適な一特徴によれば、電気的な絶縁膜は、セルの記録動作のうち磁気貯蔵要素から非強磁性体からなる電気的な導電膜で第１の方向（例えば、垂直方向）に流れる電流が第１の方向に垂直な第２の方向（例えば、側面方向）に磁束集束膜（そして、非強磁性体からなる電気的な導電膜）から側面に広がるように配置される。磁束集束膜は、ＮｉＦｅのような強磁性材質からなることができる。
【００１６】
前述した技術的課題を達成するために本発明の他の実施形態による磁気メモリ装置は、半導体基板上に配列された複数の磁気貯蔵要素と、磁気貯蔵要素の上部に配置されて磁気貯蔵要素を一方向に連結する複数のビットラインと、磁気貯蔵要素の下でビットラインを横切る方向に配置される複数のワードラインと、ビットラインと磁気貯蔵要素との間に形成される撹乱防止膜（anti-disturbance layer）と、を含む。
【００１７】
撹乱防止膜は、絶縁体と導電体からなった遮断膜と遮断膜の下部に形成され、強磁性体からなった磁束集束膜と磁束集束膜の下部に形成され、導電体からなった導電膜を含み、遮断膜／磁束集束膜／導電膜は、各自独自的な役割を担い、単独又は一部のみ組み合わせて使用できる。磁束集束膜は、その下部の磁気貯蔵要素に作用する磁気場を集中する役割を果たし、その上部のビットラインで発生する磁気場に関しては選択された磁気貯蔵要素以外の他のセルに磁気場が作用することを防止する役割を果たす。遮断膜の絶縁体は、磁気貯蔵要素の上部に形成されるため、磁気貯蔵要素を通過した電流が垂直にビットラインに移動することを遮断する。すなわち、電流が絶縁体によって導電膜に沿って水平に移動した後、遮断膜の導電体が形成された地点で垂直に移動するようになる。これにより、導電膜に流れる水平方向の電流が磁気貯蔵要素の磁化方向を変更させることができる磁気場を発生するようになる。また、遮断膜の厚さほどビットラインと磁気貯蔵要素との間隔が広まるため、遮断膜は、やはりビットラインによる撹乱を防止することに寄与する。撹乱防止膜の厚さは、ビットラインより薄く形成されることが好ましい。また、遮断膜の導電体は、製造工程上ビットラインと同一な物質から構成することが好ましい。磁気貯蔵要素の下部には、半導体基板上のトランジスタと連結された下部電極が形成されるが、下部電極は、ビットラインと垂直に形成することが好ましい。これは、下部電極に流れる電流によって磁気貯蔵要素の磁化方向方向を変化させることに有用な磁気場を発生できるためである。磁気貯蔵要素の細部構造は、順次に積層されたピニング膜、固定膜、絶縁膜及び自由膜を含み、自由膜の磁化方向によりデータの貯蔵状態が決定される。
【００１８】
前述した技術的課題を達成するために本発明の他の特徴によれば、データを記録することに必要な磁気場の大きさを減らすことができる技術を提示する。前述した発明は、半導体基板上に配列された複数の磁気貯蔵要素と、磁気貯蔵要素の上部に配置されて磁気貯蔵要素を一方向に連結する複数のビットラインと、磁気貯蔵要素の下でビットラインを横切る方向に配置される複数のワードラインと、ワードラインの両側面にそれぞれ形成されるソース／ドレイン領域と、ドレイン領域に接続する垂直配線と、を含み、垂直配線は、磁気貯蔵要素の下部に直接接続し、ビットラインが磁気貯蔵要素を連結する方向と磁気貯蔵要素の磁化方向になる角は、垂直ではなく、好ましくは、４５度（１３５度）であることがよい。
【００１９】
本発明の他の実施形態は、以下で説明されるように、前述した磁気メモリ装置を形成する方法を含む。
【発明の効果】
【００２０】
本発明による磁気メモリ装置は、ビットラインの下部に撹乱防止膜を含んで、ビットラインに流れる電流で発生する磁気場が選択されない他の磁気貯蔵要素に影響を及ぼすことを防止できる。
【００２１】
また、本発明によれば、ビットラインが磁気貯蔵要素を連結する方向と磁気貯蔵要素の磁化方向が相互に垂直ではない、好ましくは４５度（１３５度）で形成してデータを読み取るか、或いは記録することに必要な磁気場の大きさを減らすことができる。
【発明を実施するための最良の形態】
【００２２】
以下、添付した図面を参照して本発明の好適な実施形態を詳細に説明する。
【００２３】
図３は、本発明の一実施形態による磁気メモリ装置の平面図であり、図４Ａと図４Ｂは、それぞれ図３の４Ａ−４Ａ’ラインと４Ｂ−４Ｂ’ラインに沿って切断された断面図である。
【００２４】
図３を参照すれば、半導体基板上に一方向に平行な複数のビットライン８０が形成される。また、データが貯蔵される複数の磁気貯蔵要素９０が形成されるが、ビットライン８０は、磁気貯蔵要素９０を一方向、例えば図３で縦方向に連結している。図３に示された磁気メモリ装置は、ディジットラインを使用しない。ここで、別途のディジットラインを追加してもよいが、ワードラインにデータの読み取りの他に書き取りまで処理できる。
【００２５】
図４Ａ及び図４Ｂを参照すれば、半導体基板６０の所定領域に活性領域を画定する素子分離膜６２が形成される。各活性領域には、ワードライン７０に相当する一対のゲート電極７０が形成される。ワードライン７０は、ビットライン８０と垂直な方向に形成されるが、ビットライン８０とワードライン７０が交差する領域の近傍にデータを貯蔵する磁気貯蔵要素９０が設けられる。ワードライン７０に相当する一対のゲート電極７０の間には、共通ソース領域６６ｓが、一対のゲート電極７０と素子分離膜６２との間には、ドレイン領域６６ｄが形成される。共通ソース領域６６ｓには、共通ソース電極６８が連結され、ドレイン領域６６ｄには垂直配線７４が連結される。垂直配線７４の上側には、下部電極７６が連結されており、下部電極７６は、磁気貯蔵要素９０と連結される。磁気貯蔵要素９０の上側には、撹乱防止膜１００が形成され、撹乱防止膜１００の上部にビットライン８０が形成される。また、磁気貯蔵要素９０などは、層間絶縁膜７２，８２で絶縁されるが、説明の便宜上垂直配線７４が貫通する領域を下部層間絶縁膜７２と称し、その上部を上部層間絶縁膜８２と称する。撹乱防止膜１００は、ビットライン８０に沿って形成されてビットライン８０に流れる電流による磁気場が選択されない他の磁気貯蔵要素９０に影響を及ぼすことを防止する。具体的な役割と作動原理に関しては図５を参照して調べるようにする。
【００２６】
図５は、本発明の撹乱防止に関する作動原理を説明する図面である。
【００２７】
図５を参照すれば、撹乱防止膜１００は、導電膜１０１／磁束集束膜１０２／遮断膜１０３の３層構造からなる。導電膜１０１と磁束集束膜１０２は、単一な膜質からなることに反して、遮断膜１０３は絶縁体１０３ａと導電体１０３ｂの異なる膜質から構成される。絶縁体１０３ａは、磁気貯蔵要素９０の上部に設けられるが、磁気貯蔵要素９０が所定位置に離隔されて配置されるため遮断膜１０３の絶縁体１０３ａも所定間隔に分離されて設けられる。絶縁体１０３ａの間の空間には、導電体１０３ｂが形成されるが、導電体１０３ｂは、ビットライン８０で充填されるようにすることが製造工程上効率的である。
【００２８】
撹乱防止膜１００は、各自独自の効果を発揮し、これらを独自に使用するか、又は一部のみ結合して使用してもよい。ところで、撹乱防止膜１００の効果が増大されることは、特に磁気貯蔵要素９０を通じて電流が流れる場合である。通常の磁気メモリ装置は、データの読み取りモードから磁気貯蔵要素９０に電流が流れるため、本発明の技術が適用できる。但し、データの読み取りモードでは弱電流のみ流れるので、本発明はデータの書き取りモードで強電流が流れる磁気メモリ装置でさらに有用である。従って、以下では磁気貯蔵要素９０に電流が通過しながらデータの書き取りがなされる方式を主として本発明の作用効果を説明する。
【００２９】
図５で矢印方向は、データの書き取りモードで電流が流れる方向を示したものである。図５に示されているように、電流はトランジスタのソース／ドレイン領域（図示せず）で垂直配線７４を経由した後、垂直配線７４に連結された下部電極７６と磁気貯蔵要素９０及び撹乱防止膜１００とビットライン８０に移動する。電流が前述したように流れる場合、撹乱防止膜１００の具体的な作動原理は、次の通りである。
【００３０】
撹乱防止膜１００の導電膜１０１／磁束集束膜１０２／遮断膜１０３のうち、磁束集束膜１０２は、透磁率が高い物質で形成する。一般に、高透磁率の物質は、磁束を集中させるが、このような性質を用いれば、ビットライン８０による撹乱を防止できる。すなわち、データの書き取り動作時磁気貯蔵要素９０を通過した電流がビットライン８０に流れれば、電流によってビットライン８０の周辺には磁気場（図５の点線表示参照）が形成されるが、ビットライン８０と磁気貯蔵要素９０の間の磁束集束膜１０２によってビットライン８０による磁気場は、磁束集束膜１０２の上部のビットライン８０にのみ集中するようになる。結果的に、磁束集束膜１０２は、その下部の磁気貯蔵要素９０と関連して磁気場に関する一種の遮蔽膜として作用する。次に、導電膜１０１と遮断膜１０３の作動原理を調べる。もし遮断膜１０３がなければ、磁気貯蔵要素９０を通過した電流が直ちにビットライン８０に移動するようになる。しかしながら、遮断膜１０３は、絶縁体１０３ａの成分を含み、このような絶縁体１０３ａの成分は、磁気貯蔵要素９０の上部に設置されるため、磁気貯蔵要素９０を通過した電流が直ちにビットライン８０に移動できない。遮断膜１０３は、導電体１０３ｂを含むため、絶縁体１０３ａによって進路が遮断された電流は、水平方向に進路を変更した後、導電体１０３ｂが配置された領域で再び垂直方向に進路を変更してビットライン８０に移動するようになる。ここで、磁気貯蔵要素９０の上部に形成された導電膜１０１を考慮すれば、電流の経路は、『下部電極７６の水平方向（１）→磁気貯蔵要素９０の垂直方向（２）→導電膜１０１の水平方向（３）→遮断膜１０３の導電体１０３ｂの垂直方向（４）→ビットライン８０の水平方向（５）』の通りである。電流の進路が前述したような場合、導電膜１０１に流れる水平方向の電流が磁気場（図５の点線表示参照）を形成して磁気貯蔵要素９０の磁化方向を変更させることに使用できる。一方、遮断膜１０３と導電膜１０１の厚さほどビットライン８０と磁気貯蔵要素９０との間隔が広まる。ところで、磁気場の大きさは、電流源から距離に反比例するため、遮断膜１０３と導電膜１０１の厚さほど磁気貯蔵要素９０に作用するビットライン８０の磁気場は減少する。従って、遮断膜１０３またはビットライン８０による撹乱を防止する場合に作用する。
【００３１】
図５のように導電膜１０１／遮断膜１０３の構造と磁束集束膜１０２の構造を結合した場合、前述したことの他に追加の効果が発生する。すなわち、導電膜１０１と遮断膜１０３との間に磁気集束膜１０２を形成すれば、導電膜１０１に沿って水平方向電流が流れるとき発生する磁気場が磁束集束膜１０２によって集中された状態で磁気貯蔵要素９０に作用できる。磁束集束膜１０２は、その下部に流れる電流に関しては、磁気貯蔵要素９０に磁気場を集中させる役割を遂行し、その上部に流れる電流に関しては、選択された磁気貯蔵要素９０以外の他の磁気貯蔵要素９０に磁気場が作用することを防止する役割を遂行する。磁束集束膜１０２は、導電膜１０１の上部面外に両側面にも形成されるようにしてその機能を強化できる。
【００３２】
撹乱防止膜１００の材質について調べる。導電膜１０１は、導電体であり、磁束集束膜１０２は強磁性体であり、遮断膜１０３は、絶縁体１０３ａと導電体１０３ｂとからなる。次に、導電膜１０１は、ビットラインより高い抵抗を有することが好ましい。もし導電膜１０１がビットライン８０より抵抗が低ければ、磁気貯蔵要素９０と導電膜１０１を経由した電流がビットライン８０に移動するよりもむしろ導電膜１０１に沿って水平方向に流れるようになる。同様の理由で、導電膜１０１は、磁束集束膜１０２より低い抵抗を有する物質でなければならない。しかしながら、導電膜１０１の抵抗が磁束集束膜１０２より大きければ、磁気貯蔵要素９０を垂直に通過した導電膜１０１ではない磁束集束膜１０２上で水平に移動するようになる。この場合、電流による磁気場は主に磁束集束膜１０２の内部にのみ限定される。従って、磁束集束膜１０２は、強磁性体でありながら導電膜１０１より高い抵抗を有することが好ましい。但し、磁束集束膜１０２が導電膜１０１より抵抗が大きい場合、磁束集束膜１０２は、磁気貯蔵要素９０と導電膜１０１とを経由した電流がビットライン８０に流れることを遮断できる。また、撹乱防止膜１００の厚さをビットライン８０の厚さ以下として電流がビットライン８０側に流れるように調節できる。遮断膜１０３の材質を調べれば、先ず導電体１０３ｂはビットライン８０側に電流が流れることができるように、導電膜１０１や磁束集束膜１０２より抵抗が低い物質として製造工程上ビットライン８０と同一な成分であることが好ましい。次に絶縁体１０３ａは、特別な制限はなく、層間絶縁膜成分と同一な酸化物で形成できる。前述したような条件によって、導電膜１０１は、Ｔｉ／ＴｉＮ／Ｔａなどを使用でき、磁気集束膜１０２は、ＮｉＦｅなどを使用でき、遮断膜１０３は、通常の酸化物とビットライン８０と同一な導電性に優れたＡｌ／Ｗなどを使用できる。一方、図５の構造で、下部電極７６とビットライン８０が垂直に形成されている。下部電極７６に沿って水平方向に流れる電流また磁気貯蔵要素９０の磁化方向を変更する場合に使用される。ところで図５のように、下部電極７６とビットライン８０の方向が垂直な場合、水平な場合に比べて磁気貯蔵要素９０の磁化方向を変更することに必要な電流の強度が減少される。水平な場合、下部電極７６での電流と導電膜１０１に沿って流れる電流が同一な方向になって、磁気貯蔵要素９０の上下部で反対方向の磁気場を形成するようになるため、垂直な場合に比べて不利である。また、下部電極７６とビットライン８０が垂直場合には、本発明の他の特徴による効果が適用できる。すなわち、以下で後述するようにビットライン８０と磁気貯蔵要素９０とを相互オフセットされるように形成すればデータの書き取りに必要な磁気場の強度が減少するが、この時の作動原理が下部電極７６とビットライン８０が垂直な場合にも一部適用される。
【００３３】
図５で、垂直配線７４は、磁気貯蔵要素９０の下部に直接形成されず下部電極７６を媒介に一定間隔離隔されて形成される。これは、下部電極７６に沿って流れる電流を用いてデータの書き取りに用いるためのものであるが、この場合垂直配線７４と磁気貯蔵要素９０が同一な垂直軸上に形成できないためセル空間が広がる。従って、データの書き取りに必要な磁気場を低めることができれば、垂直配線７４と磁気貯蔵要素９０とを同一な軸上に形成してセル空間を縮め、高集積化に寄与することができる。
【００３４】
図６Ａ〜図６Ｃは、本発明に従って少ない磁気場で動作する原理を説明する図面であり、磁気記憶装置の主要部平面図とデータの書き取りに必要な磁気場を示すグラフが示されている。図６Ａ〜図６Ｃと関連して、以下説明の便宜のため横方向／縦方向などの方向を特定したが、横方向／縦方向は互いに置換されても差し支えない。
【００３５】
図６を参照すれば、データが貯蔵される磁気貯蔵要素９０と磁気貯蔵要素９０を一方向に連結するビットライン８０が形成されている。磁気貯蔵要素９０の下部には、垂直配線７４が直接連結されており、これによりセルの面積を６Ｆ２（Ｆは、最小加工大きさを意味）まで縮小させた。一方、図６Ａに示されているグラフは、通常の磁気記憶装置でディジットラインとビットライン８０に電流を流してデータを記録することにおいて、必要な磁気場を示す。すなわち、グラフに示された曲線（通常アステロイド曲線という。）は、磁気貯蔵要素９０の磁化方向を反転させることに必要な臨界値を示す。従って、磁気貯蔵要素９０の磁化方向を反転させれば、アステロイド曲線の臨界値以上の磁気場が必要である。
【００３６】
図６Ａの平面図で縦方向に電流が流れれば、この時形成される磁気場は、ビットライン８０の下部の磁気貯蔵要素９０に関して横方向に作用する。すなわち、図６Ａのグラフで横軸は、ビットライン８０による磁気場を示す。グラフの縦軸は、ディジットラインによる磁気場を示すが、もしディジットラインを使用しなければ、ビットライン８０のみに磁気貯蔵要素９０の磁化方向を変更しなければならず、この時はアステロイド曲線と横軸（Ｈｘ）の交点に相当する磁気場（Ｈ０）が必要である。
【００３７】
図６Ｂを参照すれば、磁気貯蔵要素９０が所定角度で回転的にオフセットされるように形成され、ビットライン８０は、縦方向に平行なように磁気貯蔵要素９０を連結している。磁気貯蔵要素９０が回転的にオフセットされるように形成されれば、磁気貯蔵要素９０によって決められるアステロイド曲線も磁気貯蔵要素９０のオフセット角度ほど回転するようになる。
【００３８】
通常の磁気貯蔵要素９０は、磁気的異方性を保障するために長方形の形態を有し、データの貯蔵時には、長方形の長辺に平行な方向に磁化される。従って、磁気貯蔵要素９０で長辺のオフセット角度又は磁化方向が横軸と成すオフセット角度に応じてアステロイド曲線も回転する。この場合、ビットライン８０のみに磁気貯蔵要素９０の磁化方向を変更するとき必要な磁気場の大きさは、アステロイド曲線と横軸（Ｈｘ）との交点になる。図６Ｂのグラフに示されたように、ビットライン８０のみに磁気貯蔵要素９０のデータを変更する場合、必要な磁気場（Ｈ１）の大きさは、図６Ａの磁気場（Ｈ０）に比べて減少する。図６Ｂのグラフで、磁気場が最小になるオフセット角度は、４５度（１３５度）である。
【００３９】
図６Ｃを参照すれば、磁気貯蔵要素９０は、図６Ａと同一に形成されていることに比べて、ビットライン８０が縦方向に対して一定にオフセットされた方向に磁気貯蔵要素９０を連結している。ビットライン８０がオフセットされるように形成されるため、磁気貯蔵要素９０と関連されたアステロイド曲線はそのままであるが、磁気場を示す軸がオフセット角度ほど回転するようになる。この場合にもビットライン８０のみに磁気貯蔵要素の９０のデータを変更するとき、必要な磁気場の大きさは、アステロイド曲線とＨｘ軸との交点になる。図６Ｃに示されたように、磁気場（Ｈ２）は、図６Ａの磁気場（Ｈ０）に比べて減少し、磁気場が最小になるオフセット角度は４５度（１３５度）である。
【００４０】
図６Ｂ又は図６Ｃに示されたメモリ装置のビットライン８０について図５のような撹乱防止膜構造が追加できる。撹乱防止膜構造が追加された磁気メモリ装置の長所は次の通りである。垂直配線７４を磁気貯蔵要素９０の下部に直接形成し、ディジットラインを使用しないためセルの面積を縮めることができる。次にビットライン８０又は磁気貯蔵要素９０を互いについて回転されるように形成してデータ記録に必要な磁気場を減少させることができる。これに加えて、導電膜／磁束集束膜／遮断膜からなる撹乱防止膜は、選択磁気貯蔵要素９０以外の他の隣接磁気貯蔵要素９０についてビットラインによる磁気場が作用することを防止する。
【００４１】
以下、本発明の磁気メモリ装置の製造方法を調べる。図７Ａ〜図１１Ａは、図３の４Ａ−４Ａ’線に沿って切断された工程断面図であり、図７Ｂ〜図１１Ｂは、４Ｂ−４Ｂ’線に沿って切断された工程断面図である。工程断面図は、図３の実施形態を対象としたことであるが、図６Ｂ又は図６Ｃのビットラインや磁気貯蔵要素をオフセットされるように形成するメモリ装置に関しても容易に適用できる。
【００４２】
図７Ａ及び図７Ｂを参照すれば、半導体基板６０の所定領域に活性領域を画定する素子分離膜６２を形成する。素子分離膜６２は、通常の浅いトレンチ（Ｓｈａｌｌｏｗ  Ｔｒｅｎｃｈ  Ｉｓｏｌａｔｉｏｎ；ＳＴＩ）方法によって形成できる。活性領域を有する半導体基板６０の全面にゲート絶縁膜及びゲート導電膜を順次に形成する。ゲート導電膜及びゲート絶縁膜を連続的にパターニングして活性領域及び素子分離膜６２の上部を横切る複数のゲートパターンを形成する。ここで、ゲート導電膜をパターニングしたことがゲート電極７０にワードライン７０に相当する。
【００４３】
次いで、ゲート電極７０をマスクとして不純物イオンを注入して、共通ソース領域６６ｓとドレイン領域６６ｄとを形成する。共通ソース領域６６ｓ／ドレイン領域６６ｄ及びゲート電極７０は、単一のトランジスタを構成する。この後ゲート電極７０の側壁にスペーサを形成する。
【００４４】
図８Ａ及び図８Ｂを参照すれば、半導体基板６０の全面に下部層間絶縁膜７２を形成する。下部層間絶縁膜７２をパターニングして、共通ソース領域６６ｓ／ドレイン領域６６ｄを露出させる。次いで、通常の方法に露出された部分を埋め込んで共通ソース電極６８及び垂直配線７４を形成する。垂直配線７４は、ドレイン領域６６ｄと追って形成される下部電極７６を連結する。
【００４５】
下部層間絶縁膜７２上に下部電極７６及び磁気貯蔵要素９０を形成する。下部電極７６は、ワードライン７０と同一な方向に形成される。ワードライン７０は、追って形成されるビットライン８０と垂直であり、結果的に下部電極７６とビットライン８０も相互垂直に形成される。磁気貯蔵要素９０は、通常順次に積層されたピニング膜９１、固定膜９２、絶縁膜９３及び自由膜９４を含む。ピニング膜９１は、半強磁性膜からなり、ＩｒＭｎ、ＰｔＭｎ、ＭｎＯ、ＦｅＯ、ＣｏＣｌ２、ＮｉＣｌ２、ＮｉＯ、Ｃｒなどを使用して形成する。固定膜９２及び自由膜９４は、強磁性膜からなり、Ｆｅ、Ｃｏ、Ｎｉ、ＭｎＳｂ、ＣｒＯ２などを使用して形成する。絶縁膜９３としては、通常アルミニウム酸化膜を使用する。前述したように磁気貯蔵要素９０を形成すれば、上部層間絶縁膜８２を形成した後、平坦化過程を経て自由膜９４の上部面を露出させる。
【００４６】
図９Ａ及び図９Ｂを参照すれば、上部層間絶縁膜８２が形成された半導体基板６０の上部面に撹乱防止膜形成のため、導電膜と磁束集束膜物質層１０１’、１０２’を形成する。次に遮断膜物質を積層するが、遮断膜を構成する導電体と絶縁体のうち絶縁体層１０３ａ’を形成する。もし絶縁体として酸化物を使用すれば酸化又は蒸着工程を使用できる。
【００４７】
図１０Ａ及び図１０Ｂを参照すれば、絶縁体層１０３ａ’に関してフォトエッチング工程を適用して、磁気貯蔵要素９０が形成された領域の上部にのみ絶縁体を残し、残り絶縁体を除去する。エッチングされて残存する部位は、遮断膜の絶縁体１０３ａを構成する。もし遮断膜を構成する導電体としてビットラインと異なる成分の物質を使用すれば、絶縁体がエッチングされた領域のうち所定領域に関して別途の導電物質を挿入して遮断膜を完成できる。
【００４８】
図１１Ａ及び図１１Ｂを参照すれば、前述した結果物上にビットライン用金属層８０’を形成する。この時、金属層８０’は、その下部の絶縁体１０３ａの間を充填するようになる。以後金属層８０’と導電膜／磁束集束膜物質層１０１’、１０２’をエッチングして除去する。結果的に、図４Ａ及び図４Ｂのような、導電膜／磁束集束膜／ビットラインが形成され、また導電体と絶縁体からなった遮断膜まで形成される。
【００４９】
前述したような撹乱防止膜形成過程において、導電膜／磁束集束膜は、ビットラインと同一なパターンに同時に形成されるため別途のマスクが不要である。但し、遮断膜の絶縁体形成領域のためのマスクとフォトエッチング工程が追加されるだけであるため、全体的に簡単な手続きのみで製造が可能である。
【図面の簡単な説明】
【００５０】
【図１】従来技術による磁気メモリ装置の平面図である。
【図２Ａ】図１の２Ａ−２Ａ’線に沿って切断された断面図である。
【図２Ｂ】図１の２Ｂ−２Ｂ’線に沿って切断された断面図である。
【図３】本発明の一実施形態による磁気メモリ装置の平面図である。
【図４Ａ】図３の４Ａ−４Ａ’線に沿って切断された断面図である。
【図４Ｂ】それぞれ図３の４Ｂ−４Ｂ’線に沿って切断された断面図である。
【図５】本発明の撹乱防止に関する作動原理を説明する図面である。
【図６Ａ】本発明に従って弱磁気場で動作する原理を説明する図面である。
【図６Ｂ】本発明に従って弱磁気場で動作する原理を説明する図面である。
【図６Ｃ】本発明に従って弱磁気場で動作する原理を説明する図面である。
【図７Ａ】図３の４Ａ−４Ａ’線に沿って切断された工程断面図である。
【図７Ｂ】図３の４Ｂ−４Ｂ’線に沿って切断された工程断面図である。
【図８Ａ】図３の４Ａ−４Ａ’線に沿って切断された工程断面図である。
【図８Ｂ】図３の４Ｂ−４Ｂ’線に沿って切断された工程断面図である。
【図９Ａ】図３の４Ａ−４Ａ’線に沿って切断された工程断面図である。
【図９Ｂ】図３の４Ｂ−４Ｂ’線に沿って切断された工程断面図である。
【図１０Ａ】図３の４Ａ−４Ａ’線に沿って切断された工程断面図である。
【図１０Ｂ】図３の４Ｂ−４Ｂ’線に沿って切断された工程断面図である。
【図１１Ａ】図３の４Ａ−４Ａ’線に沿って切断された工程断面図である。
【図１１Ｂ】図３の４Ｂ−４Ｂ’線に沿って切断された工程断面図である。
【符号の説明】
【００５１】
７４：垂直配線
７６：下部電極
８０：ビットライン
９０：磁気貯蔵要素
１００：撹乱防止膜
１０１：導電膜
１０２：磁束集束膜
１０３：遮断膜
１０３ａ：絶縁体
１０３ｂ：導電体
【図１】
2006279047.tif 000003
【図２Ａ】
2006279047.tif 000004
【図２Ｂ】
2006279047.tif 000005
【図３】
2006279047.tif 000006
【図４Ａ】
2006279047.tif 000007
【図４Ｂ】
2006279047.tif 000008
【図５】
2006279047.tif 000009
【図６Ａ】
2006279047.tif 000010
【図６Ｂ】
2006279047.tif 000011
【図６Ｃ】
2006279047.tif 000012
【図７Ａ】
2006279047.tif 000013
【図７Ｂ】
2006279047.tif 000014
【図８Ａ】
2006279047.tif 000015
【図８Ｂ】
2006279047.tif 000016
【図９Ａ】
2006279047.tif 000017
【図９Ｂ】
2006279047.tif 000018
【図１０Ａ】
2006279047.tif 000019
【図１０Ｂ】
2006279047.tif 000020
【図１１Ａ】
2006279047.tif 000021
【図１１Ｂ】
2006279047.tif 000022